(57)【要約】【課題】携帯性に優れると共に利用者の近傍に載置して所望の領域を照明することができる照明装置を提供することを課題とする。【解決手段】使用時には、折り畳まれた状態の照明装置の２つの筐体１を各接続部６の他端部８（第２の回動軸）を中心にして回動させることにより、把持部５の両側にまで開いて各筐体１の発光面３を露出させる。さらに、２つの筐体１を各接続部６の一端部７（第１の回動軸）を中心にして回動させることにより、２つの筐体１をそれぞれ所定の仰角または俯角を有する第２の位置Ｂに位置させる。その状態で、把持部５を机の天板等の載置面上に載置すると、２つの筐体１が対応する接続部６を介して把持部５によりそれぞれ所定の仰角または俯角に支持される。【選択図】図１
2006147262.tif 000002
【特許請求の範囲】
【請求項１】
面発光装置を備えた照明装置であって、
それぞれ面発光装置を収容する複数の筐体と、
前記複数の筐体を、互いに隣接する２つの前記筐体の面発光装置の発光面が互いに対向するように折り畳まれる第１の位置と、各筐体の面発光装置の発光面を露出させる第２の位置との間で移動自在に連結する連結部と
を備え、前記複数の筐体は、前記第２の位置に移動された状態で前記連結部に対して所定の角度で支持されることを特徴とする照明装置。
【請求項２】
前記連結部は、前記第２の位置に移動された前記複数の筐体を前記連結部に対する角度が調整自在となるように支持する請求項１に記載の照明装置。
【請求項３】
前記連結部は、把持部と、前記把持部に対して前記複数の筐体をそれぞれ移動自在に接続するための複数の接続部とを有する請求項１または２に記載の照明装置。
【請求項４】
各接続部は、対応する筐体に回動自在に接続された第１の回動軸と、前記把持部に回動自在に接続された第２の回動軸とを有する請求項３に記載の照明装置。
【請求項５】
各筐体は、前記接続部の第１の回動軸を中心として回動することにより前記連結部に対する角度が調整され、
前記複数の筐体は、前記接続部の第２の回動軸を中心として回動することにより前記第１の位置と前記第２の位置との間を移動する請求項４に記載の照明装置。
【請求項６】
各接続部は、自在継手からなる請求項３に記載の照明装置。
【請求項７】
電源が内蔵された請求項１〜６のいずれか一項に記載の照明装置。
【請求項８】
前記電源は、前記連結部に内蔵された請求項７に記載の照明装置。
【請求項９】
前記電源で前記面発光装置が駆動される請求項７または８に記載の照明装置。
【請求項１０】
前記面発光装置は、有機エレクトロルミネッセンス素子を有する請求項１〜９のいずれか一項に記載の照明装置。
【発明の詳細な説明】
【技術分野】
【０００１】
この発明は、照明装置に係り、特に面発光型の照明装置に関する。
【背景技術】
【０００２】
机上や手元、人物の顔等、所望の領域のみを部分的に照明する照明装置のうち、携帯性を考慮したものとして、冷陰極管や希ガス放電管等の線光源を用いた照明装置が知られているが、発熱量が大きく、また光源を直視するとまぶしいため、利用者の近傍に載置して利用するには適さないものであった。さらに、線光源を用いた照明装置では、発光部を面光源化するためにリフレクタ等を含む多数の部品が必要となり、小型、特に薄型の照明装置を構成することが困難であった。
そこで、例えば、特許文献１には、エレクトロルミネッセンス（ＥＬ）素子からなる面発光源を用いたスタンド型の照明装置が開示されている。ＥＬ素子は、発熱量が少なく、また発光面の全面から均一な光が出射されるため、熱さやまぶしさを感じることなく使用することができる。さらに、素子自体を例えば１ｍｍ以下と極めて薄くすることができるため、薄型の照明装置の実現が可能である。このため、照明対象の近傍に載置して使用する携帯型の照明装置に適している。
【０００３】
【特許文献１】特開２００１−３２５８０５号公報
【発明の開示】
【発明が解決しようとする課題】
【０００４】
しかしながら、特許文献１の照明装置は、それぞれＥＬ素子を収容する一対の光源支持板を互いにヒンジを介して回動自在に連結すると共に互いに所定の角度に開いてこれら光源支持板の端縁で載置面上に自立させるものであるため、発光面を上向きにしたり、あるいは下向きにすることができず、場合によっては所望の領域を照明することが困難となる。そこで、発光面を上下方向に傾けるために、別途支持装置を用意して照明装置を支持しようとすると、部品点数の増加を招き、また携帯性も低下するという問題を生じてしまう。
【０００５】
この発明はこのような問題点を解消するためになされたもので、携帯性に優れると共に利用者の近傍に載置して所望の領域を照明することができる照明装置を提供することを目的とする。
【課題を解決するための手段】
【０００６】
この発明に係る照明装置は、面発光装置を備えた照明装置であって、それぞれ面発光装置を収容する複数の筐体と、複数の筐体を、互いに隣接する２つの筐体の面発光装置の発光面が互いに対向するように折り畳まれる第１の位置と、各筐体の面発光装置の発光面を露出させる第２の位置との間で移動自在に連結する連結部とを備えており、複数の筐体は第２の位置に移動された状態で連結部に対して所定の角度で支持されるものである。
各筐体は第２の位置で連結部により所定の仰角または俯角に支持され、これにより所望の領域への照明が可能となる。
【０００７】
連結部は、第２の位置に移動された複数の筐体を連結部に対する角度が調整自在となるように支持することが好ましい。
また、連結部は、把持部と、把持部に対して複数の筐体をそれぞれ移動自在に接続するための複数の接続部とを有することができる。
なお、各接続部は、対応する筐体に回動自在に接続された第１の回動軸と、把持部に回動自在に接続された第２の回動軸とを有することができ、各筐体は、接続部の第１の回動軸を中心として回動することにより連結部に対する角度が調整され、複数の筐体は、接続部の第２の回動軸を中心として回動することにより第１の位置と第２の位置との間を移動するように構成されることが好ましい。
また、各接続部は、自在継手から形成することもできる。
【０００８】
また、電源を内蔵することができ、その場合、電源が連結部に内蔵されていることが好ましい。
また、この電源により面発光装置を駆動することができる。
なお、好ましくは、面発光装置は有機エレクトロルミネッセンス素子を有している。
【発明の効果】
【０００９】
この発明によれば、携帯性に優れると共に利用者の近傍に載置して所望の領域を照明することができる照明装置が実現される。
【発明を実施するための最良の形態】
【００１０】
以下、この発明の実施の形態を添付図面に基づいて説明する。
＜実施の形態１＞
図１に、この発明の実施の形態１に係る照明装置の構成を示す。この照明装置は、横長のほぼ平板形状を有する２つの筐体１を有しており、各筐体１は、有機エレクトロルミネッセンス（以下適宜ＥＬと称する。）素子を有する面発光装置２を収容すると共に、面発光装置２の発光面３が筐体１の一方の主面上に形成されている。これら２つの筐体１は互いに隣接して配置されており、連結部４を介して互いに連結されている。連結部４は、２つの筐体１の間に配置された縦長のほぼ直方体形状の把持部５と、この把持部５と２つの筐体１とをそれぞれ接続する接続部６とから形成されている。また、把持部５が机の天板等の載置面上に載置されており、この把持部５により各接続部６を介して各筐体１が把持部５に対して、すなわち載置面に対して所定の角度θの位置に支持されている。
【００１１】
なお、面発光装置２に用いられている有機ＥＬ素子は、例えばガラス基板の表面上に透明電極層、発光層を含む有機層、反射電極層等を積層して形成されており、ガラス基板の裏面が発光面３として筐体１の主面上に配置されている。
【００１２】
ここで、各接続部６の一端部７は、対応する筐体１の側面の端部付近に回動自在に接続されており、各筐体１の仰角（０°＜θ＜９０°）または俯角（９０°＜θ＜１８０°）を調整するために筐体１を把持部５に対して回動させる第１の回動軸として用いられる。また、各接続部６の他端部８は、把持部５の一端部に回動自在に接続され、２つの筐体１を図２に示すように１つに折り畳むために筐体１を把持部５に対して回動させる第２の回動軸として用いられる。
ただし、接続部６の一端部７と筐体１、及び接続部６の他端部８と把持部５とはそれぞれ互いにきつく結合されており、各筐体１を任意の仰角または俯角に固定することができるように構成されている。
【００１３】
以上のような構成を有する照明装置の作用を説明する。図２に示すように、２つの筐体１を、互いの発光面３が対向して１つに折り畳まれる第１の位置Ａに位置させた状態では、各筐体１の発光面３が覆われて保護されると共に極めて小型になり、特に携帯性に優れた照明装置が実現される。
また、使用時には、このように折り畳まれた状態の照明装置を矢印方向に上下反転させて、図３に示すように把持部５を下に位置させ、その状態で２つの筐体１を各接続部６の他端部８（第２の回動軸）を中心にして図３の矢印方向に回動させることにより、図４に示すように把持部５の両側にまで開いて各筐体１の発光面３を露出させる。さらに、２つの筐体１を各接続部６の一端部７（第１の回動軸）を中心にして図４の矢印方向に回動させることにより、図１に示すように２つの筐体１をそれぞれ所定の仰角または俯角を有する第２の位置Ｂに位置させる。その状態で、把持部５を机の天板等の載置面上に載置すると、２つの筐体１が対応する接続部６を介して把持部５によりそれぞれ所定の仰角または俯角に支持され、これにより顔等の所望の領域を照明することが可能となる。
【００１４】
また、このとき把持部５を把持することにより、この照明装置を点灯状態あるいは消灯状態で持ち運ぶことができる。
また、２つの筐体１は別々の接続部６により把持部５に回動自在に接続されているため、２つの筐体１をそれぞれ独立して角度調整することができ、これにより照明方向の自由度が向上し、広い範囲にわたって所望の領域を照明することが可能となる。
さらに、各筐体１を接続部６の他端部８（第２の回動軸）を中心にして回動させることにより、図５に示されるように、それぞれ第２の位置にある２つの筐体１を、鉛直面内で互いに角度をつけることができる。すなわち、２つの筐体１をそれぞれ仰角あるいは俯角方向のみでなく、鉛直方向にも独立して角度調整することができ、より広い範囲にわたって所望の領域を照明することができる。例えば、２つの筐体１を図５に示すように鉛直方向に互いに所定の角度をつけた状態で載置面上に載置すれば、この照明装置が２つの筐体１の端部１ａと把持部５の端部５ａとの３点により安定して支持される。
なお、把持部５を載置面上に載置する代わりに、把持部５を手で保持したり、専用の部材に組み付けて用いることもでき、この場合も把持部５により各筐体１が把持部５に対して所定の角度に支持される。
【００１５】
＜実施の形態２＞
図６に、この発明の実施の形態２に係る照明装置の構成を示す。この照明装置は、上述の実施の形態１において、第１及び第２の回動軸を有する接続部６の代わりに、フレキシブルチューブ等からなる自在継手９を用いて２つの筐体１と把持部５とをそれぞれ接続したものである。このようにしても、上述の実施の形態１と同様に、把持部５に対して各筐体１が所定の角度に支持され、所望の領域を照明することが可能となる。加えて、自在継手９を用いているので、それぞれ第２の位置にある２つの筐体１を、水平面内で互いに角度αをつけることができる。すなわち、２つの筐体１を水平方向にも独立して角度調整することができ、さらに広い範囲にわたって所望の領域を照明することができる。
【００１６】
＜実施の形態３＞
図７に、この発明の実施の形態３に係る照明装置の構成を示す。この照明装置は、図１に示した実施の形態１に係る照明装置における筐体１を４つ連結して用いるものである。すなわち、互いに隣接する２つの筐体１の間にそれぞれ把持部５が配置されると共に、各把持部５とその両側に位置する２つの筐体１とがそれぞれ接続部により互いに回動自在に接続されることにより４つの筐体１が互いに連結されている。各把持部５は載置面上に載置されており、４つの筐体１はそれぞれ対応する把持部５に対して所定の角度、すなわち載置面に対して所定の仰角または俯角に支持されている。
【００１７】
この場合も、各筐体１を各接続部の一端部（第１の回動軸）を中心にして対応する把持部５に対して回動させることにより、各筐体１の仰角または俯角を調整して固定することができ、上述の実施の形態１と同様に、各把持部５により対応する筐体１がそれぞれ所定の仰角または俯角に支持されることにより所望の領域を照明することができる。
また、図８に示すように、３つの把持部５のうち両端の把持部５において、各把持部５の両側に位置する２つの筐体１を矢印方向に回動させて互いの発光面３が対向する第１の位置に折り畳むと共に、中央の把持部５の両側に位置する２つの筐体１を矢印方向に回動させてそれぞれの発光面３とは反対側の面が互いに対向するように折り畳むことにより、図９に示すように、４つの筐体１を１つに折り畳むことができる。これにより、各筐体１の発光面３が覆われて保護されると共に極めて小型になり、特に携帯性に優れた照明装置が実現される。
【００１８】
また、例えば図７のように４つの筐体１が開かれた状態から、各接続部の他端部（第２の回動軸）を中心にして各筐体１を把持部５に対し回動させて、図１０に示すように互いに隣接する２つの筐体１が鉛直面内においてほぼ９０°をなすように角度調整して全体でほぼ矩形の環を形成し、この状態で各把持部５を専用の固定部材に組み付けて４つの筐体１をカメラのレンズ１１の周りに配置すれば、この照明装置をカメラ撮影用のアンブレラライト等として用いることができる。
なお、第１及び第２の回動軸を有する接続部６の代わりに、フレキシブルチューブ等の自在継手を介して筐体１と把持部５を接続してもよい。
【００１９】
なお、上述の実施の形態３では、４つの筐体１を互いに連結して用いていたが、３つの筐体１あるいは５つ以上の筐体１を互いに連結して用いることもできる。
また、図１０では、全体でほぼ矩形の環を形成するように配置していたが、全体でほぼ円形の環やその他各種形状の環を形成するように配置することもできる。また、環を形成する代わりに、全体で半円等の曲線形状や、三角波形状などを形成するように配置することもでき、この場合には、把持部５を専用の固定部材に組み付けて用いるだけでなく、載置面上に載置して用いることもできる。
【００２０】
なお、上述の実施の形態１〜３において、それぞれの面発光装置２用の電源として電池等を照明装置に内蔵することもできる。このようにすれば、電池で面発光装置２を駆動することができ、これにより携帯性及び機動性が向上し、例えば屋外等で使用する際に効果的である。
電池としては、アルカリ電池、リチウム電池などの一次電池や、ニカド電池、ニッケル・水素電池などの二次電池などが使用できる。
電池は、各照明装置の連結部４の把持部５に内蔵することができる。これにより、電池収納のために筐体１等を大型化する必要がなくなる。
また、電池等を内蔵せずに、外部電源により面発光装置２を駆動することもできる。この場合には、外部電源に電気的に接続するための接続端子等を適当な箇所に配設すればよい。
【００２１】
なお、図示されていないが、実施の形態１〜３において、面発光装置２による発光をオン／オフするためのスイッチが把持部５あるいは筐体１に配置されている。
また、実施の形態１〜３では、把持部５は、ほぼ直方体形状に形成されていたが、立方体形状や、円筒形状、球形状等の様々な形状に形成することができる。
【００２２】
なお、上記の各実施の形態において、面発光装置２として有機ＥＬ素子を用いているが無機ＥＬ素子を用いてもよい。
【００２３】
この発明によれば、複数の筐体１が連結部４を介して互いに移動自在に連結され、収納時には互いに隣接する２つの筐体１の面発光装置２の発光面３が互いに対向するように折り畳まれてそれぞれの発光面３が保護されると共に、使用時には連結部４が複数の筐体１をそれぞれ連結部４に対して所定の角度に支持する支持部材として機能するため、別途支持装置を用意する必要なく所望の領域を照明することが可能になると共に携帯性の向上を図ることができる。また、光源として面発光装置２を用いているので、発熱量が少なく、また直視してもまぶしさを感じにくく、利用者の近傍に載置して使用するのに適している。
【図面の簡単な説明】
【００２４】
【図１】この発明の実施の形態１に係る照明装置の使用状態を示す斜視図である。
【図２】実施の形態１に係る照明装置の収納状態を示す斜視図である。
【図３】実施の形態１に係る照明装置を使用する中間段階を示す斜視図である。
【図４】実施の形態１に係る照明装置を使用する中間段階を示す斜視図である。
【図５】実施の形態１に係る照明装置の他の使用状態を示す斜視図である。
【図６】実施の形態２に係る照明装置の使用状態を示す斜視図である。
【図７】実施の形態３に係る照明装置の使用状態を示す正面図である。
【図８】実施の形態３に係る照明装置を収納する中間段階を示す斜視図である。
【図９】実施の形態３に係る照明装置の収納状態を示す斜視図である。
【図１０】実施の形態３に係る照明装置の他の使用状態を示す正面図である。
【符号の説明】
【００２５】
１  筐体、２  面発光装置、３  発光面、４  連結部、５  把持部、６  接続部、７  接続部の一端部（第１の回動軸）、８  接続部の他端部（第２の回動軸）、９  自在継手、Ａ  第１の位置、Ｂ  第２の位置。
【図１】
2006147262.tif 000003
【図２】
2006147262.tif 000004
【図３】
2006147262.tif 000005
【図４】
2006147262.tif 000006
【図５】
2006147262.tif 000007
【図６】
2006147262.tif 000008
【図７】
2006147262.tif 000009
【図８】
2006147262.tif 000010
【図９】
2006147262.tif 000011
【図１０】
2006147262.tif 000012